(57)【特許請求の範囲】
【請求項１】
電話回線との電気的結合を分離するトランスを有する回線インターフェース回路を、通話用のマイクロホンとスピーカとを備えた電話部とファクシミリデータの送受信を行うファクシミリ部とで共用する構成の電話付ファクシミリ装置であって、
前記ファクシミリ部に設けられ、前記ファクシミリデータの送信先番号を入力するための操作手段と、
前記ファクシミリ部に設けられ、前記ファクシミリデータの変復調を行うとともに、前記操作手段による送信先番号の入力操作に応じた信号をＤＴＭＦ発振信号に変換して前記回線インターフェース回路側に出力するモデムと、
少なくとも、前記ファクシミリ部のダイヤルキーの入力が開始されてから終了するまでの間、前記ファクシミリ部のモデムの出力端を前記回線インターフェース回路に接続する第１のスイッチ手段と、
少なくとも、前記ファクシミリ部のダイヤルキーの入力が開始されてから終了するまでの間、前記電話部のスピーカを前記回線インターフェース回路に接続する第２のスイッチ手段と、を備え、
前記第１のスイッチ手段は、通話時に、前記電話部のマイクロホンを前記回線インターフェース回路に接続し、ファクシミリ送信およびファクシミリ受信時に、前記ファクシミリ部のモデムの出力端を前記回線インターフェース回路に接続し、
前記第２のスイッチ手段は、通話時に、前記電話部のスピーカを前記回線インターフェース回路に接続し、ファクシミリ送信およびファクシミリ受信時に、前記電話部のスピーカを前記回線インターフェース回路から切離す構成としたことを特徴とする電話付ファクシミリ装置。
【請求項２】
前記第２のスイッチ手段は、ファクシミリ送信およびファクシミリ受信時に、前記ファクシミリ部のモデムの入力端を前記回線インターフェース回路に接続することを特徴とする請求項１に記載の電話付ファクシミリ装置。
【請求項３】
前記ファクシミリ部のモデムの入力端と前記回線インターフェース回路とを常時接続するように構成したことを特徴とする請求項１に記載の電話付ファクシミリ装置。
【発明の詳細な説明】
【０００１】
【産業上の利用分野】
本発明は、電話付ファクシミリ装置に関し、より詳しくは、電話回線との電気的結合を分離するトランスを有する回線インターフェース回路を電話部とファクシミリ部とで共用する構成の電話付ファクシミリ装置に関するものである。
【０００２】
【従来の技術】
電話装置を付設したファクシミリ装置として、電話回線との電気的結合を分離するトランスを有する回線インターフェース回路を電話部とファクシミリ部とで共用する構成のものがある。
【０００３】
このような従来のファクシミリ装置においては、使用者がファクシミリ部のダイヤルキーを操作したときに、第１のスイッチ手段によりファクシミリ部のモデムと回線インターフェース回路とを接続し、第２のスイッチ手段により電話部のスピーカと回線インターフェース回路との接続を遮断していた。
【０００４】
【発明が解決しようとする課題】
しかしながら、従来の電話付ファクシミリ装置では、使用者がファクシミリ部のダイヤルキーを操作したときに、第２のスイッチ手段により電話部のスピーカと回線インターフェース回路との接続を遮断していたので、使用者がＤＴＭＦ発振音を確認しながらダイヤルすることができないという課題があった。
【０００５】
本発明は、上記の点に鑑みて提案されたものであって、電話回線との電気的結合を分離するトランスを有する回線インターフェース回路を電話部とファクシミリ部とで共用する構成の電話付ファクシミリ装置においても、使用者がＤＴＭＦ発振音を確認しながらダイヤルすることができるようにすることを目的としている。
【０００６】
【課題を解決するための手段】
上記目的を達成するため、請求項１に記載した発明の電話付ファクシミリ装置は、電話回線との電気的結合を分離するトランスを有する回線インターフェース回路を、通話用のマイクロホンとスピーカとを備えた電話部とファクシミリデータの送受信を行うファクシミリ部とで共用する構成の電話付ファクシミリ装置であって、前記ファクシミリ部に設けられ、前記ファクシミリデータの送信先番号を入力するための操作手段と、前記ファクシミリ部に設けられ、前記ファクシミリデータの変復調を行うとともに、前記操作手段による送信先番号の入力操作に応じた信号をＤＴＭＦ発振信号に変換して前記回線インターフェース回路側に出力するモデムと、少なくとも、前記ファクシミリ部のダイヤルキーの入力が開始されてから終了するまでの間、前記ファクシミリ部のモデムの出力端を前記回線インターフェース回路に接続する第１のスイッチ手段と、少なくとも、前記ファクシミリ部のダイヤルキーの入力が開始されてから終了するまでの間、前記電話部のスピーカを前記回線インターフェース回路に接続する第２のスイッチ手段と、を備え、前記第１のスイッチ手段は、通話時に、前記電話部のマイクロホンを前記回線インターフェース回路に接続し、ファクシミリ送信およびファクシミリ受信時に、前記ファクシミリ部のモデムの出力端を前記回線インターフェース回路に接続し、前記第２のスイッチ手段は、通話時に、前記電話部のスピーカを前記回線インターフェース回路に接続し、ファクシミリ送信およびファクシミリ受信時に、前記電話部のスピーカを前記回線インターフェース回路から切離す構成としたことを特徴とする。
【０００７】
また、請求項２に記載した発明の電話付ファクシミリ装置は、請求項１記載の電話付ファクシミリ装置であって、前記第２のスイッチ手段は、ファクシミリ送信およびファクシミリ受信時に、前記ファクシミリ部のモデムの入力端を前記回線インターフェース回路に接続することを特徴とする。
【０００８】
更に、請求項３に記載した発明の電話付ファクシミリ装置は、請求項１記載の電話付ファクシミリ装置であって、前記ファクシミリ部のモデムの入力端と前記回線インターフェース回路とを常時接続するように構成したことを特徴とする。
【０００９】
【００１０】
【作用】
上記構成を有する請求項１に記載した発明の電話付ファクシミリ装置においては、少なくとも、使用者がファクシミリ部のダイヤルキーの入力を開始してから終了するまでの間、第１のスイッチ手段が、ファクシミリ部のモデムの出力端を回線インターフェース回路に接続し、第２のスイッチ手段が、電話部のスピーカを回線インターフェース回路に接続する。
【００１１】
したがって、使用者がファクシミリ部のダイヤルキーを操作したときに、ＤＴＭＦ発振信号が、ファクシミリ部のモデムと第１のスイッチ手段と回線インターフェース回路と第２のスイッチ手段とを介して電話部のスピーカに入力され、スピーカからＤＴＭＦ発振音が出力される。この結果、使用者は、ＤＴＭＦ発振音を確認しながらダイヤルできる。
【００１２】
また、第１のスイッチ手段が、通話時に、電話部のマイクロホンを回線インターフェース回路に接続し、ファクシミリ送信およびファクシミリ受信時に、ファクシミリ部のモデムの出力端を回線インターフェース回路に接続し、第２のスイッチ手段が、通話時に、電話部のスピーカを回線インターフェース回路に接続し、ファクシミリ送信およびファクシミリ受信時に、電話部のスピーカを回線インターフェース回路から切離す。
【００１３】
したがって、第１および第２のスイッチ手段を利用して通話とファクシミリ送受信とを切換えることができ、ファクシミリ送信およびファクシミリ受信時に、電話部のスピーカからファクシミリ特有の音が出力されることがない。
【００１４】
更に、請求項２に記載した発明の電話付ファクシミリ装置においては、請求項１記載の電話付ファクシミリ装置の作用の他、第２のスイッチ手段が、ファクシミリ送信およびファクシミリ受信時に、ファクシミリ部のモデムの入力端を回線インターフェース回路に接続する。
【００１５】
したがって、通話時には、モデムの入力端と回線インターフェース回路とがハードウェア的に切離される。
【００１６】
また、請求項３に記載した発明の電話付ファクシミリ装置においては、請求項１記載の電話付ファクシミリ装置の作用の他、ファクシミリ部のモデムの入力端と回線インターフェース回路とが常時接続されている。
【００１７】
したがって、第２のスイッチ手段として、電話部のスピーカと回線インターフェース回路との接続を開閉する開閉スイッチを用いることができ、第２のスイッチ手段として切換スイッチを用いる必要がないので、製作コストを低減できる。
【００１８】
【実施例の説明】
以下、本発明の好ましい実施例を、図面を参照しつつ具体的に説明する。
【００１９】
図１は、本発明に係る電話付ファクシミリ装置の回路ブロック図であって、このファクシミリ装置は、ファクシミリ部１と、プリンタ部２と、電話部３とを備えている。ファクシミリ部１には、ＬＣＤからなり図外の操作パネルに配置されて各種の表示を行うディスプレイ１１や、各種のデータなどを記憶するＲＡＭ１２や、ファクシミリ部１全体を制御するＣＰＵ１３や、各種のプログラムなどを記憶するＲＯＭ１４や、操作パネルに配置されて使用者による操作に応じた信号を出力するキーボード１６や、短縮ダイヤル番号や相手先名などからなる電話帳やある種のフラグなどを記憶するＥＥＰＲＯＭ１７や、ゲートアレイ１８や、送信信号の変調や受信信号の復調を行うモデム１９や、ＲＡＭ１２などのデータを直接転送するＤＭＡＣ２０などが設けられており、ゲートアレイ１８には、原稿を読み取るＣＣＤ２１と、原稿を所定ピッチで送る原稿送りモータ２２とが接続されている。
【００２０】
プリンタ部２には、各種のデータなどを記憶するＲＡＭ３１や、プリンタ部２全体を制御するＣＰＵ３２や、各種のプログラムや文字パターンなどを記憶するＲＯＭ３３や、図外のパーソナルコンピュータが接続されるパソコン用Ｉ／Ｆ３４や、プリンタ用のゲートアレイ３５などが設けられている。ゲートアレイ３５には、スキャナモータ３６や、レーザスキャナ３７や、メインモータ３８などが接続される。レーザスキャナ３７は、スキャナモータ３６により駆動されて、記録用のレーザビームをスキャンさせる。メインモータ３８は、紙送りやトナーの攪拌などを行うためのものである。ファクシミリ部１とプリンタ部２とは、Ｉ／Ｆ用ゲートアレイ４１を介して接続されている。
【００２１】
図２は、電話部３およびその周辺回路の回路ブロック図であって、電話部３は、回線インターフェース回路５１と、第１の切換スイッチ５２と、第２の切換スイッチ５３と、送話用増幅器５４と、受話用増幅器５５と、ハンドセット５６とを備えている。ハンドセット５６は、送話用のマイクロホン５７と、受話用のスピーカ５８とを備えている。第１の切換スイッチ５２は、第１の接点５２ａと、第２の接点５２ｂと、コモン接点５２ｃとを備えており、第２の切換スイッチ５３は、第１の接点５３ａと、第２の接点５３ｂと、コモン接点５３ｃとを備えている。ファクシミリ部１のモデム１９の出力端と電話部３の第１の切換スイッチ５２の第１の接点５２ａとの間には送信用増幅器５９が介装されており、電話部３の第２の切換スイッチ５３の第１の接点５３ａとファクシミリ部１のモデム１９の入力端との間には受信用増幅器６０が介装されている。
【００２２】
回線インターフェース回路５１は、電話回線に接続されており、電話回線と送話用増幅器５４や受話用増幅器５５などとの電気的結合を分離するトランスなどを備えているが、その詳細については後述する。第１の切換スイッチ５２は、コモン接点５２ｃが回線インターフェース回路５１に接続されており、ＣＰＵ１３からの制御信号に基づいて、第１の接点５２ａとコモン接点５２ｃとを接続する状態と、第２の接点５２ｂとコモン接点５２ｃとを接続する状態とに切換えられる。第２の切換スイッチ５３は、コモン接点５３ｃが回線インターフェース回路５１に接続されており、ＣＰＵ１３からの制御信号に基づいて、第１の接点５３ａとコモン接点５３ｃとを接続する状態と、第２の接点５３ｂとコモン接点５３ｃとを接続する状態とに切換えられる。送話用増幅器５４は、入力端がハンドセット５６のマイクロホン５７に接続されており、出力端が第１の切換スイッチ５２の第２の接点５２ｂに接続されている。受話用増幅器５５は、入力端が第２の切換スイッチ５３の第２の接点５３ｂに接続されており、出力端がハンドセット５６のスピーカ５８に接続されている。送信用増幅器５９は、入力端がファクシミリ部１のモデム１９の出力端に接続されており、出力端が第１の切換スイッチ５２の第１の接点５２ａに接続されている。受信用増幅器６０は、入力端が第２の切換スイッチ５３の第１の接点５３ａに接続されており、出力端がファクシミリ部１のモデム１９の入力端に接続されている。
【００２３】
送話用増幅器５４は、ハンドセット５６のマイクロホン５７からの音声信号を増幅し、第１の切換スイッチ５２と回線インターフェース回路５１とを介して電話回線に送出する。受話用増幅器５５は、電話回線から回線インターフェース回路５１と第２の切換スイッチ５３とを介して入力された音声信号を増幅し、ハンドセット５６のスピーカ５８を駆動する。マイクロホン５７は、送話者の声を音声信号に変換して送話用増幅器５４に出力する。スピーカ５８は、受話用増幅器５５からの音声信号を音に変換する。送信用増幅器５９は、モデム１９の出力端からの信号を増幅し、第１の切換スイッチ５２と回線インターフェース回路５１とを介して電話回線に送出する。受信用増幅器６０は、電話回線から回線インターフェース回路５１と第２の切換スイッチ５３とを介して入力された信号を増幅し、モデム１９の入力端に出力する。なお、ＣＰＵ１３と回線インターフェース回路５１や第１の切換スイッチ５２や第２の切換スイッチ５３とのインターフェース回路は省略している。
【００２４】
図３は電話部３の回路図であって、回線インターフェース回路５１は、マイク信号キャンセル回路７１や、マイクキャンセル調整回路７２などを備えている。トランスＴ１の１次側には、電話回線を構成するラインＬ１，Ｌ２が接続されており、ラインＬ１は、ＣＰＵ１３によりオン・オフ制御されるリレーＲＬ１の接点により開閉される。また、トランスＴ１の２次側はキャパシタＣ２と抵抗器Ｒ２とを介して第１の切換スイッチ５２のコモン接点５２ｃに接続されており、抵抗器Ｒ２は、送話用増幅器５４の出力をトランスＴ１の２次側に与えて電話回線に送出するためのインピーダンス調整回路を構成している。
【００２５】
マイク信号キャンセル回路７１には、受信回路側へ回り込む送話信号の位相等を補正するマイクキャンセル調整回路７２の出力も与えられており、送話用増幅器５４やマイク信号キャンセル回路７１や受話用増幅器５５などの各回路には図外の電源回路より電源Ｖccが供給されている。
【００２６】
ここで、各回路について詳述すると、送話用増幅器５４は、一般的なフィルタ付き反転増幅回路で構成され、ハンドセット５６のマイクロホン５７からの音声信号を電話回線に対して良好な周波数特性、増幅率にして出力するもので、演算増幅器ＯＰ１と、抵抗器Ｒ１１，Ｒ１２，Ｒ１３と、キャパシタＣ１１，Ｃ１２とからなる。受話用増幅器５５も送話用増幅器５４と同様に、一般的なフィルタ付き反転増幅回路であり、電話回線からの音声信号をハンドセット５６のレシーバであるスピーカ５８に対して良好な周波数特性と増幅率で出力するもので、演算増幅器ＯＰ２と、抵抗器Ｒ２１，Ｒ２２，Ｒ２３と、キャパシタＣ２１，Ｃ２２とからなる。
【００２７】
抵抗器Ｒ２からなるインピーダンス調整回路は、規格等で一般の電話機に要求されるインピーダンスの条件を満足させるためのものであるが、送話用増幅器５４の出力インピーダンスがかなり低く、マイク信号キャンセル回路７１の入力インピーダンスがかなり高いため、インピーダンス条件はインピーダンス調整回路を構成する抵抗器Ｒ２の抵抗値のみの設定で満足させることができる。例えばインピーダンス条件が６００Ωの電話回線系では、抵抗器Ｒ２として６００Ωの直流抵抗を用いるのみでほぼ規格を満足させることができる。
【００２８】
マイク信号キャンセル回路７１は、一般的な差動増幅回路であり、ハンドセット５６のマイクロホン５７からの送話信号が過大なレベルでレシーバであるスピーカ５８に現れないように、図３中Ａで示すポイントで測定される送話信号と受話信号との合成信号から、図３中Ｃで示すポイントで測定される送話信号を引算して次段の受話用増幅器５５に入力される送話信号のレベル調整をするもので、演算増幅器ＯＰ３と、抵抗器Ｒ３１，Ｒ３２，Ｒ３３，Ｒ３４とからなる。このマイク信号キャンセル回路７１により側音特性を調整して、ハンドセット５６のマイクロホン５７から回り込む音声信号を聴感上で違和感のないものとする。
【００２９】
マイクキャンセル調整回路７２は、図３中Ｂで示すポイントで測定される送話用増幅器５４から出力される送話信号に対して、図３中Ａで示すポイントで測定される送話信号が、インピーダンス調整回路を構成する抵抗器Ｒ２と、図３中Ａで示すポイントと接地との間の１次側を含めた見かけ上のインピーダンスとで分圧された形になるために発生する信号レベルの低下、位相ずれ、周波数特性変化を補正するためのもので、キャパシタＣ３，Ｃ４と、抵抗器Ｒ４とからなり、図３中Ａで示すポイントで測定される送話信号と同等の信号を図３中Ｃで示すポイントに発生させている。
【００３０】
ハンドセット５６のマイクロホン５７には、電源Ｖccが抵抗器Ｒ１を介して供給されている。また、図外のフックスイッチは、待機状態においてハンドセット５６が下ろされているとオフの状態になっており、ハンドセット５６を使用者が取り上げるとオン状態すなわち導通状態となる。そして、ＣＰＵ１３が、フックスイッチの動作を検知してリレーＲＬ１などを動作させるように構成されている。待機状態、すなわちハンドセット５６が降ろされてフックスイッチがオフの状態では、リレーＲＬ１の接点は電話回線のループ接続を切断する状態にある。一方、ハンドセット５６を使用者が取り上げてフックスイッチがオン状態になると、リレーＲＬ１の接点は電話回線のループを閉結する。
【００３１】
その他、キャパシタＣ１が、ハンドセット５６のスピーカ５８への直流電流をカットするために、スピーカ５８と受話用増幅器５５との間に配置され、キャパシタＣ２が、トランスＴ１への電源回路からの直流電流をカットするために、トランスＴ１とインピーダンス調整回路を構成する抵抗器Ｒ２との間に配置されている。
【００３２】
次に、このように構成された電話付ファクシミリ装置における電話部３およびその周辺回路の動作の流れについて、図４に示すフローチャートを参照しながら説明する。
【００３３】
スタンバイ状態では、ハンドセット５６が下ろされているので、フックスイッチはオフしており、それをＣＰＵ１３が検知して、回線インターフェース回路５１のリレーＲＬ１の接点を開成させる。また、ＣＰＵ１３が、第１の切換スイッチ５２を第１の接点５２ａ側に切替え、第２の切換スイッチ５３を第１の接点５３ａ側に切替える（Ｓ１）。この状態では、送信用増幅器５９および受信用増幅器６０が回線インターフェース回路５１のトランスＴ１の２次側に接続されているが、電話回線は開路されている。
【００３４】
次にＣＰＵ１３が、ハンドセット５６が取り上げられたか否かを判断する（Ｓ２）。すなわち、使用者がハンドセット５６を取り上げれば、フックスイッチがオンするので、それをＣＰＵ１３が検知する。
【００３５】
ハンドセット５６が取り上げられれば（Ｓ２：ＹＥＳ）、ＣＰＵ１３が、回線インターフェース回路５１のリレーＲＬ１の接点を閉成させ、第２の切換スイッチ５３を第２の接点５３ｂ側に切替える（Ｓ３）。この状態では、送信用増幅器５９および受話用増幅器５５が回線インターフェース回路５１のトランスＴ２の２次側に接続されており、電話回線は閉路されている。したがって、ハンドセット５６のスピーカ５８からダイヤルトーンが聞こえるので、使用者はそれを確認できる。
【００３６】
次にＣＰＵ１３が、キーボード１６のダイヤルボタンが押されたか否かを判断する（Ｓ４）。すなわち、使用者がキーボード１６のダイヤルボタンを押せば、ＣＰＵ１３がそれを検知する。
【００３７】
キーボード１６のダイヤルボタンが押されれば（Ｓ４：ＹＥＳ）、押されたダイヤルボタンに応じた信号をモデム１９に出力する。これによりモデム１９が、ＣＰＵ１３からの信号に応じたＤＴＭＦ発振信号を出力する（Ｓ５）。このＤＴＭＦ発振信号は、送信用増幅器５９により増幅され、第１の切換スイッチ５２と回線インターフェース回路５１とを介して電話回線に送出されると共に、回線インターフェース回路５１と第２の切換スイッチ５３とを介して受話用増幅器５５により増幅され、ハンドセット５６のスピーカ５８から出力される。したがって、ハンドセット５６のスピーカ５８からＤＴＭＦ発振音が聞こえるので、使用者はそれを確認できる。
【００３８】
次にＣＰＵ１３が、使用者のダイヤル操作が終了したか否かを判断し（Ｓ６）、終了していなければ（Ｓ６：ＮＯ）、Ｓ４に戻る。すなわち、使用者が相手側の電話番号を全部ダイヤルするまで、ＤＴＭＦ発振信号の送出動作を繰返す。
【００３９】
使用者のダイヤル操作が終了すれば（Ｓ６：ＹＥＳ）、ＣＰＵ１３が、第１の切換スイッチ５２を接点５２ｂ側に切替える（Ｓ７）。これにより、送話用増幅器５４が第１の切換スイッチ５２を介して回線インターフェース回路５１のトランスＴ１の２次側に接続される。したがって、ハンドセット５６のマイクロホン５７からの信号が電話回線に送出され、電話回線からの信号がスピーカ５８に入力されて、相手側との通話モードになる。
【００４０】
次に、ＣＰＵ１３が、キーボード１６からファクシミリ送信あるいは受信が指示されたか否かを判断する（Ｓ８）。すなわち、使用者がキーボード１６を用いてファクシミリ送信あるいは受信のための操作を行えば、キーボード１６から操作に対応した信号が出力されるので、ＣＰＵ１３がそれを検知する。
【００４１】
キーボード１６からファクシミリ送信あるいは受信が指示されれば（Ｓ８：ＹＥＳ）、ＣＰＵ１３が、第１の切換スイッチ５２を第１の接点５２ａ側に切替えると共に、第２の切換スイッチ５３を第１の接点５３ａ側に切替える（Ｓ９）。これにより、送信用増幅器５９および受信用増幅器６０が回線インターフェース回路５１のトランスＴ１の２次側に接続され、ファクシミリ送信あるいは受信が可能な状態になる。
【００４２】
次にＣＰＵ１３が、ファクシミリ部１全体を制御して、Ｓ８：ＹＥＳにおける使用者の指示に基づいて、ファクシミリ送信あるいは受信の動作を開始する（Ｓ１０）。
【００４３】
次にＣＰＵ１３が、ファクシミリの送信あるいは受信が終了したか否かを判断し（Ｓ１１）、終了していれば（Ｓ１１：ＹＥＳ）、このルーチンを終了する。終了していなければ（Ｓ１１：ＮＯ）、Ｓ１１に戻ってファクシミリの送信あるいは受信の終了を待つ。
【００４４】
Ｓ８において、キーボード１６からファクシミリ送信あるいは受信が指示されていなければ（Ｓ８：ＮＯ）、ＣＰＵ１３が、フックスイッチがオフされたか否かを判断する（Ｓ１２）。すなわち、使用者が通話を終了してハンドセット５６を下ろせば、フックスイッチがオフするので、ＣＰＵ１３がそれを検知する。
【００４５】
フックスイッチがオフされれば（Ｓ１２：ＹＥＳ）、通話が終了しているので、このルーチンを終了し、オフされていなければ（Ｓ１２：ＮＯ）、通話が終了していないので、Ｓ８に戻る。
【００４６】
Ｓ４において、キーボード１６のダイヤルボタンが押されていなければ（Ｓ４：ＮＯ）、Ｓ４に戻って使用者によりダイヤルボタンが押されるのを待つ。
【００４７】
Ｓ２において、ハンドセット５６が取り上げられていなければ（Ｓ２：ＮＯ）、Ｓ２に戻って使用者によりハンドセット５６が取り上げられるのを待つ。
【００４８】
このように、使用者がファクシミリ部１のキーボード１６に設置されているダイヤルキーを操作したときに、第１の切換スイッチ５２が、ファクシミリ部１のモデム１９の出力端を回線インターフェース回路５１に接続し、第２の切換スイッチ５３が、電話部３のスピーカ５８を回線インターフェース回路５１に接続するので、使用者がファクシミリ部１のダイヤルキーを操作したときに、ＤＴＭＦ発振信号が、ファクシミリ部１のモデム１９と第１の切換スイッチ５２と回線インターフェース回路５１と第２の切換スイッチ５３とを介して電話部３のスピーカ５８に入力され、スピーカ５８からＤＴＭＦ発振音が出力される。この結果、使用者は、ＤＴＭＦ発振音を確認しながらダイヤルできる。
【００４９】
なお、上記実施例では、待機時に、ＣＰＵ１３が、第１の切換スイッチ５２を第１の接点５２ａ側に切替え、第２の切換スイッチ５３を第１の接点５３ａ側に切替えたが、待機時に、ＣＰＵ１３が、第１の切換スイッチ５２を第２の接点５２ｂ側に切替え、第２の切換スイッチ５３を第２の接点５３ｂ側に切替えるように構成してもよい。
【００５０】
また、図５に示すように、第２の切換スイッチ５３としてＣＰＵ１３により制御される開閉スイッチを用い、受話用増幅器５５とハンドセット５６のスピーカ５８との間に抵抗器Ｒ５１を介装し、抵抗器Ｒ５１とスピーカ５８との接続点に第２の切換スイッチ５３の一端を接続し、第２の切換スイッチ５３の他端を接地してもよい。そして、ファクシミリ送受信時にＣＰＵ１３により第２の切換スイッチ５３を閉成させれば、ハンドセット５６のスピーカ５８からファクシミリ特有の音が出力されることがない。しかも、第２の切換スイッチ５３として開閉スイッチを用いることができるので、製作コストを低減できる。
【００５１】
更に、図６に示すように、受話用増幅器５５とハンドセット５６のスピーカ５８との間に、開閉スイッチからなる第２の切換スイッチ５３を介装してもよい。このようにすれば、図５に示す構成による効果の他、抵抗器Ｒ５１が不要であるので、さらに製作コストを低減できる。
【００５２】
また、図７に示すように、回線インターフェース回路５１と受話用増幅器５５との間に開閉スイッチからなる第２の切換スイッチ５３を介装してもよい。このようにしても、図６に示す構成による効果と同様の効果が得られる。
【００５３】
【発明の効果】
以上説明したように請求項１に記載した発明の電話付ファクシミリ装置によれば、少なくとも、使用者がファクシミリ部のダイヤルキーの入力を開始してから終了するまでの間、第１のスイッチ手段が、ファクシミリ部のモデムの出力端を回線インターフェース回路に接続し、第２のスイッチ手段が、電話部のスピーカを回線インターフェース回路に接続するので、使用者がファクシミリ部のダイヤルキーを操作したときに、ＤＴＭＦ発振信号が、ファクシミリ部のモデムと第１のスイッチ手段と回線インターフェース回路と第２のスイッチ手段とを介して電話部のスピーカに入力され、スピーカからＤＴＭＦ発振音が出力される。したがって、使用者は、ＤＴＭＦ発振音を確認しながらダイヤルできる。
【００５４】
また、第１のスイッチ手段が、通話時に、電話部のマイクロホンを回線インターフェース回路に接続し、ファクシミリ送信およびファクシミリ受信時に、ファクシミリ部のモデムの出力端を回線インターフェース回路に接続し、第２のスイッチ手段が、通話時に、電話部のスピーカを回線インターフェース回路に接続し、ファクシミリ送信およびファクシミリ受信時に、電話部のスピーカを回線インターフェース回路から切離すので、第１および第２のスイッチ手段を利用して通話とファクシミリ送受信とを切換えることができ、ファクシミリ送信およびファクシミリ受信時に、電話部のスピーカからファクシミリ特有の音が出力されることがない。
【００５５】
更に、請求項２に記載した発明の電話付ファクシミリ装置によれば、第２のスイッチ手段が、ファクシミリ送信およびファクシミリ受信時に、ファクシミリ部のモデムの入力端を回線インターフェース回路に接続するので、通話時に、モデムの入力端と回線インターフェース回路とをハードウェア的に切離すことができる。
【００５６】
また、請求項３に記載した発明の電話付ファクシミリ装置によれば、ファクシミリ部のモデムの入力端と回線インターフェース回路とが常時接続されているので、第２のスイッチ手段として、電話部のスピーカと回線インターフェース回路との接続を開閉する開閉スイッチを用いることができ、第２のスイッチ手段として切換スイッチを用いる必要がないことから、製作コストを低減できる。
【図面の簡単な説明】
【図１】  本発明に係る電話付ファクシミリ装置の回路ブロック図である。
【図２】  本発明に係る電話付ファクシミリ装置に備えられた電話部およびその周辺回路の回路ブロック図である。
【図３】  本発明に係る電話付ファクシミリ装置に備えられた電話部の回路図である。
【図４】  本発明に係る電話付ファクシミリ装置に備えられた電話部およびその周辺回路の動作の流れを説明するフローチャートである。
【図５】  本発明の別の実施例に係る電話付ファクシミリ装置に備えられた電話部およびその周辺回路の回路ブロック図である。
【図６】  本発明のさらに別の実施例に係る電話付ファクシミリ装置に備えられた電話部およびその周辺回路の回路ブロック図である。
【図７】  本発明のさらに別の実施例に係る電話付ファクシミリ装置に備えられた電話部およびその周辺回路の回路ブロック図である。
【符号の説明】
１  ファクシミリ部
３  電話部
１３  ＣＰＵ
１６  キーボード
１９  モデム
５１  回線インターフェース回路
５２  第１の切換スイッチ
５３  第２の切換スイッチ
Ｔ１  トランス
【図１】
0003970945.tif 000002
【図２】
0003970945.tif 000003
【図３】
0003970945.tif 000004
【図４】
0003970945.tif 000005
【図５】
0003970945.tif 000006
【図６】
0003970945.tif 000007
【図７】
0003970945.tif 000008